(57)【要約】【目的】  保管・運搬・収納のためのバッグ底面を含むバッグ全体の折畳みを可能にしながら、同時に、バッグ底面の強度を高く保持することができ、バッグの脚部による立脚保持機能を十分に発揮させることができ、且つ、収納中に脚部の保管の面倒やその紛失の危険を無くすことができる、キャリーバッグを提供する。【構成】  本発明は、バッグ本体底面部に備えられ、２つの脚部と２つのキャスター支持部とを、前記各脚部が前記各キャスター支持部に近接している近接位置と前記各脚部が前記各キャスター支持部に前記近接位置から所定距離だけ離反している離反位置との間を移動可能なように、且つ、前記各脚部が前記離反位置に配置されたとき前記各脚部のキャスターと反対側の端部が前記各キャスターの近傍の位置を支点として前記支持棹に近づく方向に回動可能なように、互いに接続するための接続部を備えたものである。【選択図】    図４
2005177114.tif 000002
【特許請求の範囲】
【請求項１】
全体が折畳み可能に形成された布製のバッグ本体と、
前記バッグ本体背面部に前記バッグ本体に対してその上下方向に移動可能に取り付けられた２本の支持棹を含み、ユーザーがその支持棹の上端部に備えられた把持部を把持して前記バッグ本体を支持又は牽引するためのハンドル部と、
前記バッグ本体底面部の前記支持棹側端部又はその近傍に配置された２つのキャスターと、
前記バッグ本体底面部に固定され、前記２つのキャスターをそれぞれ回転可能に支持するための２つのキャスター支持部と、
前記バッグ本体底面部の前記キャスター支持部が配置された部分と反対側の端部又はその近傍に前記２つのキャスターとそれぞれ対向するように備えられ、ユーザーが前記ハンドル部から手を離したときでも前記バッグ本体を立脚可能に支持するための２つの脚部と、
前記バッグ本体底面部に備えられ、前記各脚部と前記各キャスター支持部とを、前記各脚部が前記各キャスター支持部に対して前記支持棹の軸方向と略直交する方向に対向しており且つ前記各キャスター支持部に近接している近接位置と前記各脚部が前記各キャスター支持部に対して前記支持棹の軸方向と略直交する方向に対向しており且つ前記各キャスター支持部に対して前記近接位置から所定距離だけ離反している離反位置との間を移動可能なように、且つ、前記各脚部が前記離反位置に配置されたとき前記各脚部の前記キャスターと反対側の端部が前記各キャスターの近傍の位置を支点として前記支持棹の軸方向と略直交する方向から前記支持棹と略平行な方向であって前記支持棹に近づく方向に回動可能なように、互いに接続するための接続部と、
前記各脚部が前記近接位置に配置されたとき、前記各脚部を前記各キャスター支持部に対して回動しないように固定するためのロック機構と、
前記２つの脚部を互いに連結するための脚部連結板と、
前記各脚部が前記近接位置に配置されたとき、前記脚部連結板の上面部を前記バッグ本体底面部に固定するための面状接着部と、
を備えたことを特徴とする脚部折畳み式キャスター付きキャリーバッグ。
【請求項２】
請求項１において、前記接続部は、前記キャスター支持部に形成された２つの溝部であって前記キャスターによる前記バッグ本体の移動方向と略平行に延びる溝部と、前記脚部の前記キャスター側端部に突設された２つの回転軸であって前記溝部内に挿入可能で且つ前記溝部内を摺動可能な回転軸とを含むものである、ことを特徴とする脚部折畳み式キャスター付きキャリーバッグ。
【請求項３】
請求項２において、前記ロック機構は、前記脚部の側面に形成された突部と前記溝部とにより構成されており、前記脚部が前記近接位置に配置されたとき、前記突部が前記溝部内に挿入され、その結果、前記脚部が前記キャスター支持部に対して回動しないように固定されるようになっている、ことを特徴とする脚部折畳み式キャスター付きキャリーバッグ。
【請求項４】
請求項２において、前記接続部は、前記キャスター支持部に形成された切り欠きであって前記脚部の前記キャスターと反対側の端部の前記キャスター支持部に対する前記支持棹方向への回動を可能にするための切り欠きを含むものである、ことを特徴とする脚部折畳み式キャスター付きキャリーバッグ。
【請求項５】
請求項１において、前記接続部は、前記キャスター支持部の溝部の中に固定されるストッパ・ブロックであって前記回転軸が前記溝部から抜け出ることを防止するためのストッパ・ブロックを含むものである、ことを特徴とする脚部折畳み式キャスター付きキャリーバッグ。
【請求項６】
請求項１において、前記ストッパ・ブロックは、前記溝部のキャスターと反対側の端部から前記脚部の突部の上下方向の長さ寸法だけ下方の位置に固定されるものであり、前記脚部から突設された回転軸は、前記溝部内を、前記溝部のキャスター側端部と前記ストッパ・ブロックとの間を往復移動・摺動可能に構成されている、ことを特徴とする脚部折畳み式キャスター付きキャリーバッグ。
【請求項７】
請求項１において、前記面状接着部は、前記脚部連結板の上面部に備えられた面状テープと、前記バッグ本体底面部に前記脚部連結板と対向するように帯状に備えられた面状テープとにより構成されるものである、ことを特徴とする脚部折畳み式キャスター付きキャリーバッグ。
【発明の詳細な説明】
【技術分野】
【０００１】
本発明は旅行や買い物などに適した脚部折畳み式キャスター付きキャリーバッグに関する。
【背景技術】
【０００２】
従来より、旅行などに用いられるバッグは比較的大きく重量も重いものが多いことから、ユーザーが持ち運びしやすように、バッグ底面に２つのキャスターが取り付けられている。また、このようなキャスターが取り付けられたキャリーバッグにおいては、支持棹を含むハンドル部をユーザーが手で持ちながら牽引できるようになっている。また、このようなキャスター及びハンドル部が取り付けられたキャリーバッグにおいては、ユーザーがハンドル部から手を離したときでも、キャリーバッグがその場で起立状態を保持できるように、バッグ底面の前記２つのキャスターとそれぞれ対向する位置に２つの脚部が備えられている。
【０００３】
他方、このようなキャスター付きキャリーバッグにおいては、製造後の倉庫での保管時や小売店への搬送時におけるバッグの保管・運搬スペースを節約するため、及び、ユーザーの使用後におけるバッグの収納スペースを節約するために、バッグを折畳み収納可能に構成しているものが多い。このようなバッグの折畳み収納時に問題となるのが、前記のバッグ底面の２つのキャスターと２つの脚部の存在である。これらのキャスター及び脚部は、バッグ底面の４つの隅にそれぞれ配置されているので、そのままでは、バッグ底面の折畳みが困難であり、また仮にバッグ本体を折畳んでも前記２つのキャスターと２つの脚部が折畳んだバッグ本体から大きく突出してしまうため収納・運搬スペースの節約に繋がらないという問題があった。
【０００４】
そこで、例えば、布製のバッグ底面（の一部）に取り付けられている２つの脚部付き底板をキャスター側に折畳むことにより、バッグ全体を折畳めるようにしたキャリーバッグが提案されている（特許文献１参照）。すなわち、この特許文献１においては、バッグ底面の２つの脚部及びこの脚部を固定した底板を、２つのキャスター側に折り曲げて、さらに、２つの脚部を２つのキャスターの間の空間に配置ざせるようにしている。
【０００５】
しかしながら、前述のような特許文献１の提案するキャリーバッグでは、２つの脚部付き底板をキャスター側に折畳むことを可能にするために、２つの脚部付き底板のキャスターに近い部分を、布製のバッグ底面の布地に対してフリーにしている（特許文献１の段落０００８参照）。そのため、この特許文献１のキャリーバッグにおいては、布製のバッグ底面の全体を水平に支持するフレームが存在しないため、バッグ底面の強度が弱くなり、バッグ内部に重い物を入れたりするとバッグ底面が部分的に垂れ下がってしまうという問題がある。
【０００６】
また、前述のような特許文献１の提案するキャリーバッグでは、２つの脚部を２つのキャスターの間の空間に配置するように折畳む必要があることから、２つの脚部の間が狭い間隔で配置されている（特許文献１の図１参照）。そのため、この特許文献１のキャリーバッグにおいては、前記２つの脚部は、その相互の間の間隔が狭いためにその立脚保持機能を十分に発揮することが困難で、ユーザーがハンドル部から手を離したときにバッグを安定的に起立状態で保持することが難しいという問題がある。
【０００７】
また、他の従来例として、バッグ底面に固定された２つのキャスター支持部（キャスターを回転自在に支持する部材）に対して２つの脚部を着脱自在に構成したキャリーバッグも提案されている（特許文献２参照）。すなわち、この特許文献２のキャリーバッグにおいては、使用時には脚部をキャスター支持部に取り付けた状態にし、使用後の収納時には脚部をキャスター支持部から取り外した状態にすることによりバッグ本体を折畳み可能にしている。また、この特許文献２のキャリーバッグでは、前記２つの脚部の上面とバッグ底面とがマジックチャック（商標名）などの係止部で係止されている。
【０００８】
しかしながら、前述のような特許文献２のキャリーバッグにおいては、使用後の収納時に２つの脚部をキャスター支持部からすなわちバッグ本体から取り外す必要があるため、収納中における２つの脚部の保管が面倒であり、また、収納中に２つの脚部が紛失してしまうなどの問題点がある。
【特許文献１】実用新案登録第３０８４６５９号公報
【特許文献２】実用新案登録第３０９１１６０号公報
【発明の開示】
【発明が解決しようとする課題】
【０００９】
本発明は以上のような従来技術の問題点に着目してなされたものであって、保管・運搬・収納のためのバッグ全体の折畳み・サイズの縮小化を可能にしながら、同時に、使用時のバッグ底面の強度を高く保持することができ、使用時のバッグの脚部による立脚保持機能を安定的に発揮させることができ、且つ、収納中に脚部の保管の面倒やその紛失の危険を無くすことができる、キャリーバッグを提供することを目的とする。
【課題を解決するための手段】
【００１０】
以上のように課題を解決するための本発明による脚部折畳み式キャスター付きキャリーバッグは、全体が略扁平になるように折畳み自在に形成された布製のバッグ本体と、前記バッグ本体背面部に前記バッグ本体に対してその上下方向に移動可能に取り付けられた２本の支持棹を含み、ユーザーがその支持棹の上端部に備えられた把持部を把持して前記バッグ本体を支持又は牽引するためのハンドル部と、前記バッグ本体底面部の前記支持棹側端部又はその近傍に配置された２つのキャスターと、前記バッグ本体底面部に固定され、前記２つのキャスターをそれぞれ回転可能に支持するための２つのキャスター支持部と、前記バッグ本体底面部の前記キャスター支持部が配置された部分と反対側の端部又はその近傍に前記２つのキャスターとそれぞれ対向するように備えられ、ユーザーが前記ハンドル部から手を離したときでも前記バッグ本体を立脚可能に支持するための２つの脚部と、前記バッグ本体底面部に備えられ、前記各脚部と前記各キャスター支持部とを、前記各脚部が前記各キャスター支持部に対して前記支持棹の軸方向と略直交する方向に対向しており且つ前記各キャスター支持部に近接している近接位置と前記各脚部が前記各キャスター支持部に対して前記支持棹の軸方向と略直交する方向に対向しており且つ前記各キャスター支持部に対して前記近接位置から所定距離だけ離反している離反位置との間を移動可能なように、且つ、前記各脚部が前記離反位置に配置されたとき前記各脚部の前記キャスターと反対側の端部が前記各キャスターの近傍の位置を支点として前記支持棹の軸方向と略直交する方向から前記支持棹と略平行な方向であって前記支持棹に近づく方向に回動可能なように、互いに接続するための接続部と、前記各脚部が前記近接位置に配置されたとき、前記各脚部を前記各キャスター支持部に対して回動しないように固定するためのロック機構と、前記２つの脚部を互いに連結するための脚部連結板と、前記各脚部が前記近接位置に配置されたとき、前記脚部連結板の上面部を前記バッグ本体底面部に固定するための面状接着部と、を備えたことを特徴とするものである。
【００１１】
また、本発明によるキャリーバッグにおいては、前記接続部は、前記キャスター支持部に形成された２つの溝部であって前記キャスターによる前記バッグ本体の移動方向と略平行に延びる溝部と、前記脚部の前記キャスター側端部に突設された２つの回転軸であって前記溝部内に挿入可能で且つ前記溝部内を摺動可能な回転軸とを含むものである、ことが望ましい。
【００１２】
また、本発明によるキャリーバッグにおいては、前記ロック機構は、前記脚部の側面に形成された突部と前記溝部とにより構成されており、前記脚部が前記近接位置に配置されたとき、前記突部が前記溝部内に挿入され、その結果、前記脚部が前記キャスター支持部に対して回動しないように固定されるようになっている、ことが望ましい。
【００１３】
また、本発明によるキャリーバッグにおいては、前記接続部は、前記キャスター支持部に形成された切り欠きであって、前記脚部の前記キャスターと反対側の端部の前記キャスター支持部に対する前記支持棹方向への回動を可能にするための切り欠きを含むものである、ことが望ましい。
【００１４】
また、本発明によるキャリーバッグにおいては、前記接続部は、前記キャスター支持部の溝部の中に固定されるストッパ・ブロックであって、前記回転軸が前記溝部から抜け出ることを防止するためのストッパ・ブロックを含むものである、ことが望ましい。
【００１５】
また、本発明によるキャリーバッグにおいては、前記ストッパ・ブロックは、前記溝部の上端から前記脚部の突部の上下方向の長さ寸法だけ下方の位置に固定されるものであり、前記脚部から突設された回転軸は、前記溝部内を、前記溝部の下端（キャスター側端部）と前記ストッパ・ブロックとの間を摺動可能に構成されている、ことが望ましい。
【００１６】
さらに、本発明によるキャリーバッグにおいては、前記面状接着部は、前記脚部連結板の上面部に備えられた面状テープと、前記バッグ本体底面部に前記脚部連結板と対向するように帯状に備えられた面状テープとにより構成されるものである、ことが望ましい。
【発明の効果】
【００１７】
以上のように、本発明においては、その使用時には、前記２つのキャスター支持部（バッグ本体底面部に固定されている）と前記２つの脚部とが前記接続部及びロック機構により互いに接続・固定され、そして、前記２つの脚部を連結する脚部連結板がバッグ本体底面部に前記面接着部で固定されることにより、バッグ本体底面部の全体を略水平方向（前記支持棹と略直交する方向）に強固に支持するためのフレームが形成されるようになる。したがって、本発明によれば、使用時のバッグ本体底面部の強度が十分に保たれるようになるので、従来例（特許文献１）におけるような不都合（バッグ底面の強度が弱いために重い物を入れたときバッグ底面が部分的に垂れ下がってしまうなどの不都合）が防止できるようになる。
【００１８】
また、本発明においては、その運搬・収納のためにバッグ本体を折畳むときは、前記２つの脚部のキャスターと反対側の端部を、前記２つのキャスターの近傍の位置を支点として前記支持棹と平行な方向（使用時におけるバッグ本体底面部と略直交する方向）で且つ支持棹に近づく方向に回動させるようにしている。したがって、本発明においては、バッグ本体を折畳むときに、２つのキャスターと２つの脚部とを重ね合わせるようにしないので、従来例（特許文献１）におけるような不都合（バッグ本体を折畳むときに２つの脚部が２つのキャスターの間の空間に入り込むようにするため、２つの脚部の間隔を２つのキャスターの間隔よりも狭くする必要があり、その結果、２つの脚部によるバッグ本体の立脚保持機能が十分に発揮できなくなるという不都合）が防止できるようになる。
【００１９】
また、本発明においては、その運搬・収納時には、前記脚部連結板をバッグ本体底面部から分離させた上で（前記面状接着部による接着を解除させた上で）、２つの脚部のキャスターと反対側の端部を、前記接続部により２つの脚部を前記支持棹と平行な方向（使用時におけるバッグ本体底面部と略直交する方向）で且つ前記支持棹に近づく方向に回動させ、この状態でバッグ本体を折畳めるようにしている。したがって、本発明では、２つのキャスターと２つの脚部を互いに前記接続部で接続しながら両者を前記支持棹と略平行な方向に配置させることができる。よって、本発明によれば、バッグ本体を折畳んだとき、キャスター又は脚部が折畳まれたバッグ本体から大きく突出してしまうことを防止できる（両者が前記支持棹と略平行な方向に配置されているため）と同時に、従来例（特許文献２）におけるような不都合（２つの脚部がバッグ本体と分離されるので、バッグ本体の折畳み状態での運搬・収納中に２つの脚部が紛失してしまうなどの不都合）が防止できるようになる。
【発明を実施するための最良の形態】
【００２０】
本発明を実施するための最良の形態は、以下の実施例１について述べるような形態である。
【実施例１】
【００２１】
まず、図１に基づいて本発明の実施例１によるキャリーバッグの全体的構成を説明する。図１は本実施例１の組立工程を説明するための図である。図１（ｇ）は本実施例１の組み立てが完成した状態を示す図で、１は布製のバッグ本体、２はユーザーがバッグ本体１を牽引するなどの目的のために把持するためのハンドル部である。前記バッグ本体１は、ファスナーにより内部を開閉できるようになっている。前記ハンドル部２は、バッグ本体１の背面部から図示上下方向に移動自在（引き出し・収納自在）に備えられた２本の支持棹２ａと、前記２本の支持棹２ａをその上方で連結するように形成された把持部２ｂとにより構成されている。また、前記バッグ本体１の底面には、前記バッグ本体１を起立状態に保持するための２つの脚部３が備えられている。また、前記バッグ本体１の底面には、図１（ｆ）に示すように、前記２つの脚部３とそれぞれ対向する位置に２つのキャスター４が備えられている。
【００２２】
次に、本実施例１の全体的な動作を説明する。本実施例１は工場出荷・搬送段階では折畳まれた状態になっている。図１（ａ）はこの工場出荷・搬送段階での折畳み時の状態を示している。この状態では、２つの脚部３は、図示略水平方向（折畳まれたバッグ本体１の側面と略平行な方向＝前記支持棹２ａと平行な方向）に配置されている。
【００２３】
図１（ｂ）から（ｆ）までは、この図１（ａ）の工場出荷・搬送時の状態から販売店で陳列するための組み立てを行う動作を示している。この場合は、まず、脚部３を、図１（ａ）の状態から図１（ｂ）に示すような図示略垂直方向に起立させる。次に、詳しくは後述するが、図１（ｃ）（ｄ）に示すように、脚部３とキャスター４との接続部（後述）により、前記脚部３をキャスター４の支持部に固定させる。
【００２４】
その後、図１（ｅ）に示すように、前記２つの脚部３を互いに連結する脚部連結板７の上面に備えられた面状テープ（商標名「マジックテープ」）とバッグ本体１底面に備えられた面状テープ（商標名「マジックテープ」）とを合わせることにより、脚部連結板７とバッグ本体１底面とを固定させる。以上により、図１（ｆ）に示すように、本実施例１によるキャリーバッグの組み立てが完了する。図１（ｇ）は、この組み立てたキャリーバッグを起立させてハンドル部２を図示上方に引き出し・突出させた状態を示すものである（ハンドル部２は、不使用時には、バッグ本体１の背面に収納・装着できるようになっている）。
【００２５】
なお、使用後の収納のためにユーザーがバッグ本体１を折畳むときは、以上の説明と逆の工程を行えばよい。
【００２６】
次に、本実施例１の脚部３のキャスターと反対側の端部をキャスター４の近傍を支点として回動する機構、及び脚部３をキャスター支持部に固定する機構について、図２−４を参照して説明する。図２−４において、図１と共通する部分には同一の符号を付して説明を省略する。図２−４において、１ａはバッグ本体１の底面部（布製）である。実際には、前記底面部１ａには布製のバッグ本体１（バッグ本体１の底面部１ａ以外の部分）が連結されているが、図２−４ではこのバッグ本体１（バッグ本体１の底面部１ａ以外の部分）の図示を便宜上省略している。
【００２７】
また、図２−４において、５は前記２つのキャスター４をそれぞれ回転自在に支持するためのキャスター支持部、６は前記２つのキャスター支持部５を互いに連結すると共に前記キャスター支持部５をバッグ本体１の底面部１ａに固定するためのキャスター連結板、７は前記２つの脚部３を互いに連結するための脚部連結板、である。
【００２８】
前記キャスター連結板６は、ビス６ａによりバッグ本体１の底面部１ａに固定されている。また、前記脚部連結板７の上面（図示されている面の裏側の面）には面状テープ（図示せず）が備えられている。また、前記バッグ本体１の底面部１ａの一部にも、前記脚部連結板７と対向する部分に帯状の面状テープ８が備えられている。本実施例１では、前記脚部連結板７の面状テープと前記底面部１ａの面状テープ８とにより、前記脚部連結板７と前記底面部１ａとが接着・固定されるようになっている。
【００２９】
また、脚部３は図示のように側面略Ｌ字状に形成され、そのキャスター４と反対側の 端部が地面に接する部分、他方の端部（キャスター４側の端部）が脚部３とキャスター支持部５とを接続するための接続部の一部を構成している。
【００３０】
本実施例１では、ユーザーが本実施例１を使用するときは、図２に示すように、２つのキャスター支持部５と２つの脚部３が互いに連結固定され、脚部連結板７がバッグ本体１の底面部１ａに前記面状テープ８により固定されている。
【００３１】
また、ユーザーが本実施例１を使用した後にその収納のためにバッグ本体１を折畳むときは、まず図２に示すように、前記面状テープ８を外す（前記面状テープによる接着を解除させる）ことにより、脚部連結板７とバッグ本体底面部１ａとを分離させる。
【００３２】
次に、図３に示すように、前記２つの脚部３をキャスター支持部５に対して図示上方に持ち上げて、２つの脚部３を図示α方向に回動可能にさせる。すなわち、図２においては前記脚部３の突部３ａがキャスター支持部５の溝部５ａの中に挿入されていたが、この図３においては、前記脚部３の突部３ａを前記溝部５ａの外側上方に移動させることにより、脚部３を図示α方向に回動可能にさせる。その後、図４に示すように、前記２つの脚部３を図示α方向に回動させて、２つの脚部３を図示平面方向（使用時のバッグ本体底面部１ａの平面方向と略直交する方向＝前記支持棹２ａと略平行な方向）に向けさせる。
【００３３】
以上のように、本実施例１では、前記の２つの脚部３の突部３ａとキャスター支持部５の溝部５ａなどにより、脚部３とキャスター支持部５との接続部が構成されている。
【００３４】
次に、この接続部の構造の詳細を図５−６を参照して説明する。図５は脚部３のキャスターに近い側の一部を示す斜視図、図６はキャスター支持部を示す斜視図である。図５−６において、図１−４と共通する部分には同一の符号を付している。図５において、３ｂは脚部３のキャスター側に形成されている挿入部である。前記挿入部３ｂは、前記キャスター支持部５の筒部５ｂ（図６参照）の中に形成された挿入穴５ｃ（図６参照）の中に挿入されることにより、前記脚部３と前記キャスター支持部５とを接続する。
【００３５】
すなわち、本実施例１では、前記脚部３は、前記挿入部３ｂが前記挿入穴５ｃの中に挿入されるときの挿入の深さにより、前記キャスター支持部５に対して次の（１）と（２）の２つの位置の間を移動可能となっている。すなわち、（１）前記脚部３が前記キャスター支持部５と前記支持棹２ａの軸方向と略直交する方向に対向しており且つ前記キャスター支持部５に近接している近接位置（図２に示す状態）と、（２）前記脚部３が前記キャスター支持部５と前記支持棹２ａの軸方向と略直交する方向に対向しており且つ前記キャスター支持部５に対して前記近接位置から所定距離だけ（前記突部３ａの図５の上下方向の長さ寸法だけ）離反している離反位置（図３に示す状態）と、である。
【００３６】
また、図５において、３ｃは前記挿入部３ｂの図示下端（キャスター側端部）に形成された回転軸である。図５では前記挿入部３ｂの図示左側のみに回転軸３ｃが示されているが、実際には前記挿入部３ｂの左右の両側にそれぞれ回転軸３ｃが突設されている（前記回転軸３ｃは、前記挿入部３ｂと一体形成されていてもよいし、別体として形成されて前記挿入部３ｂの挿通穴に挿通・固定されていてもよい）。
【００３７】
前記脚部３の突部３ａが前記溝部５ａの中ではなくその外側上方に位置するように前記挿入部３ｂが前記挿入穴５ｃに挿入されたとき、すなわち、前記脚部３が前記キャスター支持部５に対して図３に示すような前記離反位置に配置されたとき、前記脚部３のキャスターと反対側の端部は、前記回転軸３ｃ（前記溝部５ａの下方のキャスター４近傍の位置に配置されている）を支点として、図示α方向に回動可能となる（図４参照）。
【００３８】
また、図６において、５ｄは前記キャスター支持部５の筒部５ｂの背面に形成された切り欠きである。この切り欠き５ｄは、前記脚部３の突部３ａが前記溝部５ａの中ではなくその外側上方に位置するように前記挿入部３ｂが前記挿入穴５ｃに挿入されたとき、すなわち、前記脚部３が前記キャスター支持部５に対して図３に示すような前記離反位置に配置されたとき、前記脚部３のキャスターと反対側の端部を、前記溝部５ａの中の回転軸３ｃを支点として、図示α方向に回動可能とする（図４参照）ためのものである（この切り欠き５ｄがないと、前記脚部３は図示α方向に回動できない）。
【００３９】
また、前記脚部３の突部３ａは、本実施例１の使用時に、前記キャスター支持部５に挿入された前記脚部３を回動しないようにロックするために使用されるものである。すなわち、前記脚部３の挿入部３ｂが、図３の状態からさらに深く前記挿入穴５ｃ内に挿入されて、前記突部３ａが前記溝部５ａ内まで挿入されたとき（すなわち、前記脚部３が前記キャスター支持部５に対して図２に示すような前記近接位置に配置されたとき）、前記脚部３の図示α方向への回動は、前記突部３ａの存在により阻止される（図２参照）。
【００４０】
また、図６において、９は前記脚部３が前記キャスター支持部５から離反してしまうことを防止するためのストッパ・ブロックである。本実施例１では、前記ストッパ・ブロック９は、前記溝部５ａの中に挿入されネジで固定されている。すなわち、本実施例１では、前記ストッパ・ブロック９は、前記溝部５ａの中で、前記脚部３の回転軸３ｃと突部３ａとの中間の位置に配置され固定されている。したがって、例えば図３の状態で、脚部３が上方に強く引っ張られても、脚部３の下端の回転軸３ｃが前記ストッパ・ブロック９に当接するので、脚部３がそれより上方に移動すること（脚部３が溝部５ａから抜け出てしまうこと）が阻止される。なお、前記ストッパ・ブロック９の前記溝部５ａ内での固定位置は、前記脚部３の突部３ａが前記溝部５ａに挿入されたとき（図２に示す状態）の突部３ａの下方の位置が望ましい（それより上方の位置にストッパ・ブロック９を固定すると、これが邪魔になって、前記突部３ａが溝部５ａに挿入できなくなるため）。なお、図６において、９ａと５ｅは前記ストッパ・ブロック９を前記溝部５ａ内の前記望ましい位置でネジ固定するためのネジ穴である。
【００４１】
本実施例１では、前記ストッパ・ブロック９により、前記溝部５ａ内を移動・摺動する回転軸３ｃの移動・摺動距離が決められている。すなわち、本実施例１では、前記回転軸３ｃは、前記溝部５ａ内を、前記溝部５ａの下端部（キャスター側端部）と前記ストッパ・ブロック９との間を移動・摺動する。前記回転軸３ｃの下端が前記溝部５ａの下端部まで押し下げられたとき、前記脚部３は前記キャスター支持部５に近接する近接位置に配置される。また、前記回転軸３ｃの上端が前記溝部５ａ内の前記ストッパ・ブロック９に当接する位置まで引っ張り上げられたとき、前記脚部３は前記キャスター支持部５に対して前記近接位置から前記所定距離（前記突部３ａの図５の上下方向の長さ寸法）だけ離反する離反位置に配置される。
【００４２】
以上のように、本実施例１においては、その使用時には、前記２つの脚部３を連結する脚部連結板７がバッグ本体底面部１ａに面状テープ８で固定され、前記キャスター４、脚部３、脚部連結板７、及びキャスター連結板６などがバッグ底面部１ａの全体を支持するフレームとなっているので、バッグ本体底面部１ａの強度が十分に保たれるようになっている。したがって、本実施例１では、バッグ底面の強度が弱いために重い物を入れたときバッグ底面が部分的に垂れ下がってしまうなどの不都合が防止できるようになる。
【００４３】
また、本実施例１においては、その運搬・収納のためにバッグ本体１を折畳むときは、前記２つの脚部３のキャスターと反対側の端部を、前記２つのキャスター４の近傍の位置にある回転軸３ｃを支点として前記支持棹２ａと略平行な方向（使用時におけるバッグ本体底面部１ａと略直交する方向）で且つ前記支持棹２ａに近づく方向に回動させるようにしている。したがって、本実施例１では、バッグ本体１を折畳むときに、２つのキャスター４と２つの脚部３とを重ね合わせるようにしないので、従来例（特許文献１）におけるような不都合（バッグ本体を折畳むときに２つの脚部が２つのキャスターの間の空間に入り込むようにするため、２つの脚部の間隔を２つのキャスターの間隔よりも狭くする必要があり、その結果、２つの脚部によるバッグ本体の立脚保持機能が十分に発揮できなくなるという不都合）が防止できるようになる。
【００４４】
また、本実施例１においては、その運搬・収納時には、前記脚部連結板７をバッグ本体底面部１ａから分離させた上で（前記面状テープ８による接着を解除させた上で）、前記回転軸３ｃにより２つの脚部３のキャスターと反対側の端部を前記支持棹２ａと略平行な方向（使用時におけるバッグ本体底面部１ａと略直交する方向）で且つ前記支持棹２ａに近づく方向に回動させ、この状態でバッグ本体１を折畳めるようにしている。したがって、本実施例１では、２つのキャスター４と２つの脚部３を互いに接続しながら（すなわち２つのキャスター４と２つの脚部３をバッグ本体１と連結させながら）両者を前記支持棹２ａと略平行な方向に配置させることができる。よって、本実施例１によれば、バッグ本体１を折畳んだとき、キャスター４又は脚部３が折畳まれたバッグ本体１から大きく突出してしまうことを防止できると同時に、従来例（特許文献２）におけるような不都合（２つの脚部がバッグ本体と分離されるので、バッグ本体の折畳み状態での運搬・収納中に２つの脚部が紛失してしまうなどの不都合）が防止できるようになる。
【図面の簡単な説明】
【００４５】
【図１】本発明の実施例１によるキャリーバッグの組立工程を示す説明図。
【図２】本実施例１におけるキャスター支持部と脚部との接続部の構成及び動作を説明するための図。
【図３】本実施例１におけるキャスター支持部と脚部との接続部の構成及び動作を説明するための図。
【図４】本実施例１におけるキャスター支持部と脚部との接続部の構成及び動作を説明するための図。
【図５】本実施例１における脚部の構成を説明するための図。
【図６】本実施例１におけるキャスター支持部の構成を説明するための図。
【符号の説明】
【００４６】
１          バッグ本体
１ａ      バッグ本体底面部
２          ハンドル部
２ａ      支持棹
２ｂ      把持部
３          脚部
３ａ      突部
３ｂ      挿入部
３ｃ      回転軸
４          キャスター
５          キャスター支持部
５ａ      溝部
５ｂ      筒部
５ｃ      挿入穴
５ｄ      切り欠き
６          キャスター連結板
６ａ      ビス
７          脚部連結板
８          面状テープ
９          ストッパ・ブロック
【図１】
2005177114.tif 000003
【図２】
2005177114.tif 000004
【図３】
2005177114.tif 000005
【図４】
2005177114.tif 000006
【図５】
2005177114.tif 000007
【図６】
2005177114.tif 000008